(57)【要約】      （修正有）【課題】工具を取り出しやすく、かつ狭い場所に設置可能な工具収納装置を提供する。【解決手段】工具１０を挿入して収納する工具支持板と、工具支持板を支持する支持軸３と、支持軸を回転可能に支持する支持台２を備え、工具支持板として略正多角形の上部工具支持板４と下部工具支持板５を設け、略正多角形の中心と頂点の間に上部貫通孔８ａ及び下部貫通孔８ｂを有し、上部工具支持板は略正多角形の辺に凹部を有し、下部工具支持板は水平部６と、水平部外縁から外方に向かって下方に所定角度傾斜する傾斜部７を有し、傾斜部に下部貫通孔を有し、上部工具支持板の凹部が下部貫通孔の上方に位置する。【選択図】図１
0003225674.tif 000002
【実用新案登録請求の範囲】
【請求項１】
工具収納装置であって、
工具を挿入して収納する工具支持板と、
前記工具支持板を支持する支持軸と、
前記支持軸を軸方向に回転可能に支持する支持台を備え、
前記工具支持板として、上部工具支持板と、該上部工具支持板の下方に下部工具支持板を設け、
前記上部工具支持板及び前記下部工具支持板は略正多角形であり、該略正多角形の中心と頂点の間に、前記工具を挿入して収納する上部貫通孔及び下部貫通孔を有し、
前記上部工具支持板は前記略正多角形の辺の中央部に凹部を有し、
前記下部工具支持板の中心から水平に外方に向かう水平部と、該水平部外縁から外方に向かって下方に所定角度傾斜する傾斜部を有し、
前記傾斜部に、前記工具を挿入して設置する前記下部貫通孔を有し、
前記上部工具支持板の前記凹部が前記下部貫通孔の上方に位置することを特徴とする工具収納装置。
【請求項２】
前記傾斜部の法線方向から前記下部貫通孔を見たときに、前記下部貫通孔と前記凹部が重複しないことを特徴とする請求項１に記載の工具収納装置。
【請求項３】
前記上部貫通孔及び前記下部貫通孔の周縁部に樹脂の成形体が設けられていることを特徴とする請求項１又は請求項２に記載の工具収納装置。
【請求項４】
前記上部工具支持板及び前記下部工具支持板は略正６角形であることを特徴とする請求項１乃至請求項３のいずれか１項に記載の工具収納装置。
【考案の詳細な説明】
【技術分野】
【０００１】
本考案は工具収納装置に係り、特に、マシニングセンタ等の工作機械の支持軸にセットされる各種工具の収納装置に関する。
【背景技術】
【０００２】
工具収納装置は、機械工場などで、旋盤、フライス盤、ボール板などの工作機械に使用される種々の金属切削工具、いわゆるツールを、再使用に便利な状態で安全に収納するための装置である。通常、工具収納装置は鋼板等の棚板や工具支持板に丸穴をあけ、そこに工具のシャンク部を挿入し、フランジ部を丸孔の周りに係止させることで工具を収納する。
【０００３】
このような工具収納装置は、設置される場所に応じて箱式、テーブル式、棚式、壁掛け式のものが使用される。
【０００４】
工具収納装置の設置場所を広くとれない場合は、箱式、テーブル式の工具収納装置が使用される。これらの工具収納装置では例えば正方形の工具支持板に数列の丸穴を空けて工具を収納するが、このとき奥の列に収納された工具を取り出しやすくするため、工具支持板が回転する工具収納装置が提案されている。
【０００５】
たとえば特許文献１では、工具を収納するロッカ本体の底板上に設けた支持軸の外側に、複数のシャンク挿入孔を有する複数の円形の工具支持板を回転可能に嵌合し、各工具支持板を支持軸に取付けたストッパリングで支持した工具収納装置が提案されている。
【０００６】
また特許文献２では、キャビネット本体内部に垂直に固設された支持軸、当該支持軸を中心として回転可能な工具支持板を設けた工具収納装置であって、工具支持板が支持軸の中心から外方に向かって下方に傾斜し、工具支持板に穿設した複数個の孔に工具を挿入する工具収納装置が提案されている。
【先行技術文献】
【特許文献】
【０００７】
【特許文献１】公開実用新案公報  昭６４−４５７９号公報
【特許文献２】実用新案公報  昭６３−１０９４７号公報
【考案の概要】
【考案が解決しようとする課題】
【０００８】
しかし、長い工具を収納する場合、工具と工具支持板が接触しないように、上側にある工具支持板と下側にある工具支持板の間隔を空ける必要があった。また、下側の工具支持板を傾斜させる場合、傾斜角を大きくとる必要があり、工具の上端が外側に突出するため、工具収納装置の設置場所を広くとる必要があった。
【０００９】
そこで、本考案は、工具を簡易に取り出すことができ、かつ狭い場所に設置可能な工具収納装置を提供することを目的とする。
【課題を解決するための手段】
【００１０】
本願発明者は上記課題について検討した。その結果、下部の工具支持板に、外側に向かって下方に傾斜する傾斜部を設け、工具を挿入する貫通孔を傾斜部に穿設し、上部の工具支持板の外縁部に凹部を設け、工具の上端が当該凹部を貫通するように、貫通孔と凹部の位置を調整することにより、上記課題の解決が可能であることを見出し、本考案に至った。
【００１１】
本考案の一態様に係る工具収納装置は、工具を挿入して収納する工具支持板と、前記工具支持板を支持する支持軸と、前記支持軸を軸方向に回転可能に支持する支持台を備え、前記工具支持板として、上部工具支持板と、該上部工具支持板の下方に下部工具支持板を設け、前記上部工具支持板及び前記下部工具支持板は略正多角形であり、該略正多角形の中心と頂点の間に、前記工具を挿入して収納する上部貫通孔及び下部貫通孔を有し、前記上部工具支持板は前記略正多角形の辺の中央部に凹部を有し、前記下部工具支持板の中心から水平に外方に向かう水平部と、該水平部外縁から外方に向かって下方に所定角度傾斜する傾斜部を有し、前記傾斜部に、前記工具を挿入して設置する前記下部貫通孔を有し、前記上部工具支持板の前記凹部が前記下部貫通孔の上方に位置することを特徴とする。
【００１２】
このようにすれば、工具を簡易に取り出すことができ、かつ狭い場所に設置可能な工具収納装置を提供することができる。
【００１３】
このとき、前記傾斜部の法線方向から前記下部貫通孔を見たときに、前記下部貫通孔と前記凹部が重複しないようにしてもよい。
【００１４】
このとき、前記上部貫通孔及び前記下部貫通孔の周縁部に樹脂の成形体が設けられていてもよい。
【００１５】
このとき、前記上部工具支持板及び前記下部工具支持板は略正６角形としてもよい。
【考案の効果】
【００１６】
本考案によれば、下部工具支持板に収納した工具の上部が上部工具支持板の凹部に位置し上部工具支持板に接触しないため、上部工具支持板と下部工具支持板の間隔を空ける必要がなくなり、かつ下部工具支持板を傾斜させる必要がなくなる。このため、工具を簡易に取り出すことができ、かつ狭い場所に設置可能な工具収納装置を提供することができる。
【図面の簡単な説明】
【００１７】
【図１】図１は、本考案に係る工具収納装置の基本構成を示す正面図である。
【図２】図２は、本考案に係る工具収納装置の基本構成を示す平面図である。
【考案を実施するための形態】
【００１８】
以下、本考案を実施するための形態について説明するが、本考案は、下記の実施形態に制限されることはなく、本考案の範囲を逸脱することなく、下記の実施形態に種々の変形および置換を加えることができる。また、本実施形態で説明される構成の全てが本考案の解決手段として必須であるとは限らない。
【００１９】
以下、本考案を図面により詳細に説明する。
【００２０】
図１は、本考案に係る工具収納装置の基本構成を示す正面図である。図示するように、工具収納装置１は、工具１０を挿入して収納する工具支持板と、工具支持板を支持する支持軸３と、支持軸３を軸方向に回転可能に支持する支持台２から構成され、工具支持板として、上部工具支持板４と、該上部工具支持板４の下方に下部工具支持板５が設けられている。そして、上部工具支持板４及び下部工具支持板５に貫通孔８を穿設し、工具１０を貫通孔８に挿入することで、工具収納装置１に工具１０を収納する。
【００２１】
上部工具支持板４は平板であり、中心部において支持軸３に水平に接続されている。また、上部工具支持板４の外縁部には、貫通孔８ａが鉛直方向に穿設されている。
【００２２】
下部工具支持板５は板状の部材で、水平な水平部６と、水平部６の外縁から外側に向かって下方に傾斜する傾斜部７を有する。下部工具支持板５は水平部６の中心部において支持軸３に水平に接続されている。また、下部工具支持板５は上部工具支持板４の下方に設けられている。また、当該傾斜部７の外縁部には、貫通孔８ｂが傾斜部７の法線方向に穿設されている。なお上部工具支持板４、下部工具支持板５の外端に対し、角を丸くする等の加工を適宜行うことができる。
【００２３】
上部工具支持板４及び下部工具支持板５の直径は異なっていてもよいが、下部工具支持板５を上部工具支持板４よりも小さくすると傾斜部７の傾斜角を大きくする必要が生じ、また下部工具支持板５を上部工具支持板４よりも大きくすると傾斜角を小さくすることはできるものの工具収納装置１の全体が大きくなるため、上部工具支持板４と下部工具支持板５は同一の直径であることが好ましい。これにより工具収納装置１をより狭い場所に設置することができる。
【００２４】
上部工具支持板４及び下部工具支持板５の材料は特に制限されないが、重量のある工具１０を収納しても変形しないよう、鋼板等が好適に用いられる。
【００２５】
上部工具支持板４及び下部工具支持板５に穿設された貫通孔８ａ、８ｂに工具１０を挿入することで、工具収納装置１は工具１０を収納する。工具１０は刃部１０ａ、フランジ部１０ｂ、シャンク部１０ｃを有し、このシャンク部１０ｃを貫通孔８ａ、８ｂに挿入し、フランジ部１０ｂを貫通孔８ａ、８ｂの周りの上部工具支持板４及び下部工具支持板５上に係止させることで、工具収納装置１に工具１０を収納する。
【００２６】
ここで、工具１０は同種の旋盤に取り付けて使用されるため、フランジ部１０ｂ、シャンク部１０ｃは共通の形状を有している。また刃部１０ａは用途ごとに様々な形状、幅、長さを有している。
【００２７】
上述したように工具１０を上部皿状体４の貫通孔８ａに挿入して工具収納装置１に収納するときは、フランジ部１０ｂが貫通孔８ａ周辺の上部工具支持板４上に係止される。このとき、シャンク部１０ｃは貫通孔８ａを貫通し、貫通孔８ａの下端から鉛直方向下向きに突出する。そして、刃部１０ａはフランジ部１０ｂから鉛直方向上向きに突出する。
【００２８】
また、工具１０を下部工具支持板５の貫通孔８ｂに挿入して工具収納装置１に収納するときは、フランジ部１０ｂが貫通孔８ｂ周辺の下部工具支持板５上に係止される。ここで貫通孔８ｂは、下部工具支持板５の傾斜部７に、傾斜部７の傾斜角に垂直な方向、つまり傾斜部７の法線方向に穿設されている。このため、シャンク部１０ｃは貫通孔８ｂを貫通し、貫通孔８ｂの下端から傾斜部７の法線方向下向きに突出する。そして、刃部１０ａはフランジ部１０ｂから傾斜部７の法線方向上向きに突出する。ここで、本願において「傾斜部の法線方向」は、傾斜部７の傾斜角に垂直な方向を意味する。
【００２９】
通常の工具収納装置では工具支持板は水平となっており、鉛直方向に貫通孔が設けられている。上部工具支持板と下部工具支持板の間隔に対し工具の刃部が短い場合は、上部工具支持板に接触させることなく工具を下部工具支持板に収納することができる。
【００３０】
しかし、上部工具支持板と下部工具支持板の間隔に対し工具の刃部が長い場合は、刃部の上部が上部工具支持板に接触し工具を下部工具支持板に収納することができない場合が生じる。
【００３１】
また、下部工具支持板に傾斜部を設け、傾斜部の法線方向に貫通孔を穿設した場合、上述したように工具の刃部は傾斜部の法線方向上向きに突出する。ここで、刃部の上部が上部工具支持板に接触しないようにするには、傾斜部の傾斜角を大きくする必要がある。しかし、傾斜角を大きくした分刃部の上部は外側に突出するため、工具収納装置の設置場所をより広くとる必要が生じる。
【００３２】
本考案では後述するように、略正多角形の上部工具支持板４の辺の中央部に凹部を設け、刃部１０ａの上部周辺に凹部が位置するようにすることで、下部工具支持板５に収納された工具１０の刃部１０ａと上部工具支持板４が接触することなく、工具１０を工具収納装置１の下部工具支持板５に収納することができる。また、凹部を設けることで、その分刃部１０ａの上部を上部工具支持板４の中心部に移動させることができ、傾斜部７の傾斜角を小さくすることができる。そして、刃部１０ａの外側への突出を抑えることができるため、より狭い場所に工具収納装置１を設置することができる。
【００３３】
また、上述のように上部工具支持板４及び下部工具支持板５は中心部において支持軸３に接続されている。そして、支持軸３の下端部は支持台２に接続されており、支持軸３は鉛直方向に支持台２に支持されている。また、支持軸３は軸方向に回転自在に支持台２に接続されている。支持軸３を回転させる手段は特に制限されないが、ベアリング等を適宜用いることができる。
【００３４】
支持軸３は軸方向に回転自在に支持台２に接続されているため、上部工具支持板４及び下部工具支持板５を回転させることで、奥に収納された工具１０を手前に簡単に移動させることができるため、工具１０を簡易に取り出すことができる。
【００３５】
このとき、後述するように上部工具支持板４の凹部は下部工具支持板５の貫通孔８ｂの上方に位置するため、上部工具支持板４及び下部工具支持板５が独立して回転しないよう、上部工具支持板４及び下部工具支持板５は支持軸３に固定される。上部工具支持板４及び下部工具支持板５を支持軸３に固定する方法は特に制限されないが、溶接等を適宜用いることができる。
【００３６】
支持軸３の形状は三角柱、四角柱、円柱、角筒、円筒等、特に制限されず、また、支持軸３の材料は特に制限されないが、重量のある工具を収納しても変形しないよう、丸鋼管が好適に用いられる。
【００３７】
また、上述したように支持台２は支持軸３を支持する。これにより、支持軸３、上部工具支持板４、下部工具支持板５及び工具１０が倒れずに、工具１０を工具収納装置１に収納することができる。支持台２の形状は、円、楕円、三角形、四角形、多角形の底面を有する円板、平板、逆円錐台形、逆三角錐台形、逆四角錐台形等、特に制限されないが、工具収納装置をより狭い場所に設置する観点から円板が好ましい。なお支持台２の外端に対し、角を丸くする等の加工を適宜行うことができる。また、工具収納装置をより狭い場所に設置する観点から、支持台２の直径は、上部工具支持板４、下部工具支持板５と同一の直径であることが好ましい。
【００３８】
支持台２の材料は特に制限されないが、重量のある工具を収納しても変形しないよう、鋼板が好適に用いられる。
【００３９】
次に、上部工具支持板に設けられた凹部について説明する。図２は、本考案に係る工具収納装置１の基本構成を示す平面図である。図示するように、支持台２の上方に、不図示の指示軸を中心として上部工具支持板４及び下部工具支持板５が設けられている。
【００４０】
下部工具支持板５は正６角形の平板で構成され、上述したように図示しない水平部と傾斜部を有する。そして、正６角形外縁の頂点付近に貫通孔８ｂが穿設されている。貫通孔８ｂの中心は下部皿状体５の中心と外縁の頂点の間に位置している。
【００４１】
上部工具支持板４は正６角形の平板で構成される。そして、正６角形外縁の頂点付近に貫通孔８ａが穿設されている。貫通孔８ａの中心は上部工具支持板４の中心と外縁の頂点の間に位置している。なお、上部工具支持板４及び下部工具支持板５は正６角形に限られず、正多角形を用いることができる。また、正６角形の辺は直線に限られず、外側に凸状に湾曲した曲線、内側に凸状に湾曲した曲線、波線等、適宜曲線を用いることができる。なお工具収納装置をより狭い場所に設置する観点から、曲線を用いた場合は上部工具支持板４及び下部工具支持板５の辺が支持台２の辺の外側に突出しないことが好ましい。また、正多角形の頂点について縁取り等加工した形状等を適宜用いることができる。
【００４２】
貫通孔８ａ及び８ｂは円状の形状を有する。貫通孔８ａ及び８ｂの直径は工具の直径に応じて適宜決定される。なお貫通孔８ａと８ｂの直径は異なっていてもよいが、同種の旋盤に使用する工具を収納する利便性から、同一の直径であることが好ましい。
【００４３】
なお、工具収納装置１をより狭い場所に設置する観点から、支持台２、上部工具支持板４、下部工具支持板５の直径は貫通孔８ａ、８ｂの直径の５倍以内とすることが好ましい。
【００４４】
また、工具を貫通孔８ａ及び８ｂに挿入したときに、鋼板等で構成された上部工具支持板４及び下部工具支持板５から工具を保護するため、貫通孔８ａ及び８ｂの周縁部に樹脂製の成形体を設けることができる。成形体は、工具のフランジ部、貫通孔８ａ及び８ｂと同形状であることが好ましい。なお成形体に使用する樹脂は特に制限されない。
【００４５】
また、上部工具支持板４は正６角形の辺の中央部に凹部９を有する。
【００４６】
そして、凹部９は下部工具支持板５の貫通孔８ｂの上方に位置するよう、上部工具支持板４及び下部工具支持板５の位置は設定される。このとき工具を下部工具支持板５に収納すると、刃部の上部周辺に凹部９が位置する。
【００４７】
上述したように、下部工具支持板５の貫通孔８ｂに収納された工具の刃部は、傾斜部の法線方向上向きに突出する。そして、刃部の上部は鉛直方向から見て外側に突出する。
【００４８】
ここで、凹部９が無い場合、刃部の上部が上部工具支持板４に接触しないようにするには、下部工具支持板の傾斜部の傾斜角を大きくし、刃部の上部を上部工具支持板４の外側に突出させる必要がある。その結果、工具収納装置１の設置場所をより広くとる必要が生じる。
【００４９】
しかし、上部工具支持板４に凹部９を設け、刃部の上部周辺に凹部９が位置するようにすることで、刃部と上部工具支持板４が接触することなく工具を工具収納装置１に収納することができる。そして、凹部９の分刃部の上部を上部工具支持板４の中心部に移動させることができ、下部工具支持板５の傾斜部の傾斜角を小さくすることができる。これにより刃部の外側への突出を抑えることができるため、より狭い場所に工具収納装置１を設置することができる。
【００５０】
そして、凹部９が下部工具支持板５の貫通孔８ｂの上方に位置していることで、以上のような凹部９の効果を奏することができる。
【００５１】
また、工具を工具収納装置１の下部工具支持板５に収納するときや、下部工具支持板５から取り出すときは、下部工具支持板５の傾斜部の法線方向に沿って工具を挿入、抜き取る。このとき、凹部９が下部工具支持板５の貫通孔８ｂの上方に位置しているため、工具を上部工具支持板４に接触させることなく、下部工具支持板５の傾斜部の法線方向に沿って工具を挿入、抜き取ることができる。このため、工具を簡易に挿入し、取り出すことができる。
【００５２】
ここで、凹部９の形状は三角形、四角形、多角形、弧状、円状等、工具の刃部と接触しないものであれば特に制限されないが、円状であることが好ましい。
【００５３】
また凹部９の大きさは、工具の刃部と接触しない大きさであれば特に制限されない。ここで、貫通孔８ｂの外縁部から直線を傾斜部の法線方向上向きに伸ばした場合、当該直線が凹部９と接触しないよう凹部９の大きさを設定することが好ましい。工具の刃部の直径は貫通孔８ｂの直径よりも小さいため、このように凹部９の大きさを設定することで、より確実に工具の刃部が上部工具支持板４に接触しないようにすることができる。なお傾斜部の傾斜角を大きくすることで工具の刃部が上部工具支持板４に接触しないようにすることも可能であるが、刃部の上部が鉛直方向から見て外側に突出し、工具収納装置１の設置場所をより広くとる必要が生じるため、傾斜部の傾斜角が小さくなるよう、凹部９の大きさを適宜設定することが好ましい。
【００５４】
なお、上記のように本考案の一実施形態及び各実施例について詳細に説明したが、本発明の新規事項及び効果から実体的に逸脱しない多くの変形が可能であることは、当業者には、容易に理解できるであろう。したがって、このような変形例は、全て本発明の範囲に含まれるものとする。
【００５５】
例えば、明細書又は図面において、少なくとも一度、より広義又は同義な異なる用語と共に記載された用語は、明細書又は図面のいかなる箇所においても、その異なる用語に置き換えることができる。また、工具収納装置の構成も本考案の一実施形態及び各実施例で説明したものに限定されず、種々の変形実施が可能である。
【符号の説明】
【００５６】
１  工具収納装置、２  支持台、３  支持軸、４  上部工具支持板、５  下部工具支持板、６  水平部、７  傾斜部、８、８ａ、８ｂ  貫通孔、９  凹部、１０  工具、１０ａ  刃部  １０ｂ  フランジ部、１０ｃ  シャンク部
【図１】
0003225674.tif 000003
【図２】
0003225674.tif 000004